(57)【要約】【課題】原稿カバーが開姿勢の状態であってもスキャナハウジングを開くことが可能であり、且つ、原稿カバーを開く力によってスキャナハウジングが一緒に開いてしまうことのない操作性に優れた画像入出力装置を提供する。【解決手段】スキャナハウジングをプリンタハウジングの上方を覆う閉姿勢に係止するストップ機構を備え、ストップ機構は、スキャナハウジングが閉姿勢の状態において、原稿カバーを開姿勢に遥動しようとする外力によってスキャナハウジングが開姿勢に遥動するのを係止する所定の保持力を有し、スキャナハウジングを開姿勢に遥動しようとする外力が保持力を超えるときに、スキャナハウジングが開姿勢に遥動するのを係止しない。【選択図】図５
2007336273.tif 000002
【特許請求の範囲】
【請求項１】
プリンタハウジングと、
前記プリンタハウジングの上方を覆う閉姿勢と上方を開放する開姿勢とに揺動可能に前記プリンタハウジングに連結され、原稿が載置される原稿台を有するスキャナハウジングと、
前記原稿台を覆う閉姿勢と開放する開姿勢とに揺動可能に前記スキャナハウジングに連結されている原稿カバーと、
前記スキャナハウジングを前記プリンタハウジングの上方を覆う閉姿勢に係止するストップ機構とを備え、
前記ストップ機構は、前記スキャナハウジングが閉姿勢の状態において、前記原稿カバーを開姿勢に遥動しようとする外力によって前記スキャナハウジングが開姿勢に遥動するのを係止する所定の保持力を有し、前記スキャナハウジングを開姿勢に遥動しようとする外力が前記保持力を超えるときに、前記スキャナハウジングが開姿勢に遥動するのを係止しないことを特徴とする画像入出力装置。
【請求項２】
前記ストップ機構は、前記スキャナハウジングに設けられた突起部と前記プリンタハウジングに設けられた係合部とで構成され、前記スキャナハウジングが閉姿勢の状態において、前記突起部と前記係合部とが係合することによって前記スキャナハウジングが開姿勢に遥動するのを係止し、前記突起部と前記係合部との係合が外れることによって前記スキャナハウジングが開姿勢に遥動するのを係止しないことを特徴とする請求項１に記載の画像入出力装置。
【請求項３】
前記ストップ機構は、前記突起部と前記係合部とが係合することによってクリックストップすることを特徴とする請求項２に記載の画像入出力装置。
【請求項４】
前記原稿カバーは、オートドキュメントフィーダが一体に設けられていることを特徴とする請求項１から３のいずれか一項に記載の画像入出力装置。
【発明の詳細な説明】
【技術分野】
【０００１】
本発明は、画像入出力装置に関する。
【背景技術】
【０００２】
印刷ユニットを収容しているプリンタハウジングと画像読取ユニットを収容しているスキャナハウジングとを備え、スキャナハウジングがプリンタハウジングに揺動可能に連結され、スキャナハウジングが備える原稿台を覆う原稿カバーがスキャナハウジングに揺動可能に連結されている画像入出力装置が知られている。スキャナハウジングをプリンタハウジングの上方を覆う閉姿勢と上方を開放する開姿勢とに揺動可能に連結することで、スキャナハウジングを揺動してプリンタハウジングの上方を開放することができ、インクカートリッジ及びトナーカートリッジ等の交換や用紙ジャムの解除などの作業を行うことができる。なお、以降の説明において、「開く」とは閉姿勢から開姿勢に揺動することをいい、「閉じる」とは開姿勢から閉姿勢に揺動することをいうものとする。
例えば、下記の特許文献１に記載されている画像入出力装置では、スキャナハウジングがプリンタハウジングの上方を覆う閉姿勢と上方を開放する開姿勢とに揺動可能に連結され、また、原稿カバーがスキャナハウジングに揺動可能に連結されている。そして、スキャナハウジングと原稿カバーとが同時に開姿勢にならないようにするために、原稿カバーが開くときには、スキャナハウジングをプリンタハウジングにロックし、また、スキャナハウジングが開くときには、原稿カバーをスキャナハウジングにロックしている。
【０００３】
【特許文献１】特開２００６−４２００３号公報
【発明の開示】
【発明が解決しようとする課題】
【０００４】
しかしながら、上記した画像入出力装置では、原稿カバーが開姿勢の状態の場合、スキャナハウジングが開かないようにロックされていることから、ユーザがスキャナハウジングを開くためには、原稿カバーを必ず閉じて閉姿勢の状態にしなければならない。このため、スキャナハウジングを開くためのこういった前提条件をマニュアル等に記載する必要が生じる。
また、例えば、インクカートリッジ及びトナーカートリッジ等を交換するためにスキャナハウジングを開けようとしたユーザが、原稿カバーが開姿勢の状態であることを知らないがために、スキャナハウジングがどうして開かないのか戸惑うことも考えられる。ここで、仮に、原稿カバーが開姿勢の状態においてスキャナハウジングをプリンタハウジングにロックする機構を排除した場合、ユーザが原稿カバーを開く力によってスキャナハウジングも一緒に開いてしまう問題が発生する。
【０００５】
本発明の目的は、原稿カバーが開姿勢の状態であってもスキャナハウジングを開くことが可能であり、且つ、原稿カバーを開く力によってスキャナハウジングが一緒に開いてしまうことのない操作性に優れた画像入出力装置を提供することにある。
【課題を解決するための手段】
【０００６】
本発明に係る画像入出力装置は、プリンタハウジングと、前記プリンタハウジングの上方を覆う閉姿勢と上方を開放する開姿勢とに揺動可能に前記プリンタハウジングに連結され、原稿が載置される原稿台を有するスキャナハウジングと、前記原稿台を覆う閉姿勢と開放する開姿勢とに揺動可能に前記スキャナハウジングに連結されている原稿カバーと、前記スキャナハウジングを前記プリンタハウジングの上方を覆う閉姿勢に係止するストップ機構とを備え、前記ストップ機構は、前記スキャナハウジングが閉姿勢の状態において、前記原稿カバーを開姿勢に遥動しようとする外力によって前記スキャナハウジングが開姿勢に遥動するのを係止する所定の保持力を有し、前記スキャナハウジングを開姿勢に遥動しようとする外力が前記保持力を超えるときに、前記スキャナハウジングが開姿勢に遥動するのを係止しない。
【０００７】
本発明に係る画像入出力装置によれば、スキャナハウジングが閉姿勢の状態において、原稿カバーを開く外力によってスキャナハウジングも一緒に開いてしまうのをストップ機構の保持力によって係止する。また、ストップ機構は、ストップ機構の保持力を超えるスキャナハウジングを開こうとする外力がスキャナハウジングに加わった場合は、スキャナハウジングが開こうとするのを係止しない。これにより、ユーザが原稿カバーを開く力によってスキャナハウジングが一緒に開いてしまうような問題が発生せず、且つ、ユーザが所定の外力をスキャナハウジングに加えることによって、原稿カバーが開姿勢の状態であってもスキャナハウジングを開くことでき、優れた操作性を確保できる。
【０００８】
上記した本発明に係る画像入出力装置では、前記ストップ機構は、前記スキャナハウジングに設けられた突起部と前記プリンタハウジングに設けられた係合部とで構成され、前記スキャナハウジングが閉姿勢の状態において、前記突起部と前記係合部とが係合することによって前記スキャナハウジングが開姿勢に遥動するのを係止し、前記突起部と前記係合部との係合が外れることによって前記スキャナハウジングが開姿勢に遥動するのを係止しない。
【０００９】
上記した本発明に係る画像入出力装置では、前記ストップ機構は、前記突起部と前記係合部とが係合することによってクリックストップする。
【００１０】
上記した本発明に係る画像入出力装置では、前記原稿カバーは、オートドキュメントフィーダが一体に設けられている。
【発明を実施するための最良の形態】
【００１１】
以下、本発明の実施形態に係る画像入出力装置について、図面を参照して説明する。
【００１２】
＜画像入出力装置の全体構成＞
図１は、本発明の一実施形態に係る画像入出力装置としての複合機の斜視図である。同図に示すように、複合機１は、プリンタハウジング１０と、スキャナハウジング１１と、原稿カバー１２とを備えている。プリンタハウジング１０には、印刷媒体に画像を印刷する図示しない印刷ユニットが収容されている。スキャナハウジング１１には、スキャナハウジング１１に備えた原稿台１５（図３参照）に載置された原稿を読み取って画像データを出力する図示しない画像読取ユニットが収容されている。
【００１３】
図２は、スキャナハウジング及び原稿カバーが閉姿勢の状態にあるときの複合機の側面図である。図３は、スキャナハウジングが閉姿勢、原稿カバーが開姿勢の状態にあるときの複合機の側面図である。図４は、スキャナハウジングが開姿勢、原稿カバーが閉姿勢の状態にあるときの複合機の側面図である。
プリンタハウジング１０は、上方に突出する支持部１３を有しており、スキャナハウジング１１は、ヒンジにより支持部１３に連結されている。本実施形態では、スキャナハウジング１１は、水平方向に延びる揺動軸線周りに揺動するように連結されており、図２及び３に示すように、プリンタハウジング１０の上方を覆う閉姿勢の状態と、図４に示すように、プリンタハウジング１０の上方を開放する開姿勢の状態とに揺動可能である。支持部１３にスキャナハウジング１１を連結することで、プリンタハウジング１０とスキャナハウジング１１との間に空間が確保され、プリンタハウジング１０の上壁１４（図１参照）を排紙トレイとして利用することが可能になる。上壁１４は、プリンタハウジング１０に揺動可能に連結されており、インクカートリッジ及びトナーカートリッジ等の交換や用紙ジャムの解除などは、この上壁１４を開いて作業する。スキャナハウジング１１を揺動可能に連結することで、上壁１４を開いて作業するときに、スキャナハウジング１１を開いてプリンタハウジング１０の上方を開放することができ、上壁１４を大きく開くことができる。なお、プリンタハウジング１０とスキャナハウジング１１との間の空間は、不要であれば確保する必要はない。
【００１４】
また、図３に示すように、スキャナハウジング１１は、上方が開口した箱形に形成され、例えばガラス板などの透明な板で形成された原稿台１５が、スキャナハウジング１１の開口を閉塞している。原稿カバー１２は、ヒンジにより原稿台１５の盤面を開放する姿勢と覆う姿勢とに揺動可能になるようにスキャナハウジング１１に連結されている。本実施形態では原稿カバー１２は、水平方向に延びる揺動軸線周りに揺動するように連結されており、図２及び４に示すように、原稿台１５を覆う閉姿勢の状態と、図３に示すように、原稿台１５を開放する開姿勢の状態とに揺動可能である。原稿カバー１２は、閉姿勢の状態になることで原稿台１５に載置された原稿を押さえるとともに、図示しない光源の放射光以外の光が原稿を照らすことがないように原稿台１５を覆うものである。また、原稿カバー１２には、図１に示すように、ＡＤＦ（オートシートフィーダ）１８が一体に設けられている。ＡＤＦ１８は、複数の読み取り対象の原稿を一括して載置するためのＡＤＦ原稿台１７を備え、ＡＤＦ原稿台１７に載置された原稿を１枚ずつ搬送する。
【００１５】
＜クリックストップ機構＞
次に、スキャナハウジング１１をプリンタハウジング１０に係合するクリックストップ機構について説明する。
図５は、スキャナハウジングが開姿勢、原稿カバーが閉姿勢の状態にあるときの複合機の斜視図である。同図に示すように、スキャナハウジング１１の底部の２カ所に、スキャナハウジング１１の剛性を高めるために凸部３０，３０が設けられている。凸部３０，３０の側壁３１，３１は、スキャナハウジング１１の前端部から後端部に向かって延び、それぞれ互いに平行な三角形の板状となっている。
支持部１３，１３は、凸部３０，３０の後端壁３２，３２を支持する前端面３３，３３を有し、前端面３３，３３は、鉛直方向に対して凸部３０，３０の後端壁３２，３２と同じ角度で傾斜した斜面である。凸部３０，３０の後端壁３２，３２が支持部１３，１３の前端面３３，３３に当接し、スキャナハウジング１１の底面の凸部３０，３０より後方部位が支持部１３，１３の上端面３４，３４に当接することによって、スキャナハウジング１１が水平になる姿勢に支持される。
【００１６】
また、凸部３０，３０の後端壁３２，３２には、ストップ機構としてのクリックストップ機構を構成する一方の部材となる突起部４０，４０が突設されている。突起部４０，４０が支持部１３，１３の前端面３３，３３に当接する位置には、クリックストップ機構を構成する他方の部材となる係合部５０，５０が前端面３３，３３に埋設されている。
【００１７】
図６は、クリックストップ機構を構成する部材を説明する図であり、（ａ）は、一方の部材となる突起部周辺の斜視図であり、（ｂ）は、他方の部材となる埋設されている係合部の斜視図である。同図（ａ）に示すように、突起部４０は、凸部３０，３０の後端壁３２，３２に突設され、突起部４０の先端には、半球状に突出したボス４１が設けられている。また、同図（ｂ）に示すように、前端面３３，３３に埋設されている係合部５０は、開口部が矩形の合成樹脂製であって、突起部４０が嵌入可能な凹部５１を形成している。凹部５１の一方の側壁は、弾性が付与されているバネ基材５２からなり、バネ基材５２には、突起部４０の嵌入時にボス４１を受けるボス受部材５３が形設されている。また、凹部５１のバネ基材５２と隣接する底面には、切欠き５４が形成されていることで、バネ基材５２が凹部５１の外側方向へ弾性変形するのを容易にしている。
【００１８】
＜クリックストップ機構での係合＞
次に、クリックストップ機構における係合について説明する。
図７は、スキャナハウジングに設けられた突起部とプリンタハウジングに設けられた係合部との係合を説明するための模式図であり、（ａ）は、突起部が係合部に係合される前の状態を示す図であり、（ｂ）は、突起部が係合部に係合された状態を示す図である。
同図（ａ）の状態は、開姿勢の状態にあるスキャナハウジング１１を、ユーザが鉛直方向に外力を加えることによって閉じようとしている状態である。ユーザがスキャナハウジング１１を閉じようとすると、先ず突起部４０のボス４１が、係合部５０に形設されたボス受部材５３の鍔部５３ａに当接する。そして、ユーザからの外力によってボス４１から鍔部５３ａへ同図に示すＹｄ方向への力が加わり、鍔部５３ａを上から下へ圧接することになる。これによってバネ基材５２は、同図に示すＸ方向へ弾性変形する。このとき、バネ基材５２と共に鍔部５３ａもＸ方向へ移動することで、ボス４１は鍔部５３ａを上から下へと摺動して乗り越える。乗り越えた後、弾性変形したバネ基材５２は、弾性復元力によってまた元の位置に戻り、ボス４１とボス受部材５３とが係合する。ここで、ボス４１が鍔部５３ａを乗り越えて係合するときにクリック感を発生させることができる。
同図（ｂ）は、ボス４１が鍔部５３ａを乗り越えた後、ボス受部材５３に係合された状態を示している。このとき、スキャナハウジング１１は、開姿勢の状態から閉姿勢の状態に移行しており、開姿勢に遥動するのを係止された状態となる。
【００１９】
今度は逆に、閉姿勢の状態にあるスキャナハウジング１１を、ユーザが鉛直方向とは反対方向に外力を加えることによって開姿勢の状態に移行する場合について説明する。
ユーザが同図（ｂ）に示す閉姿勢の状態にあるスキャナハウジング１１を開けようとすると、ボス４１から鍔部５３ａへＹｕ方向への力が加わり、鍔部５３ａを下から上へ圧接することになる。この圧接によってバネ基材５２がＸ方向へ弾性変形し、バネ基材５２と共に鍔部５３ａもＸ方向へ移動する。このときのＹｕ方向への力がクリックストップ機構が有する所定の保持力を超えるときに、ボス４１は鍔部５３ａを下から上へと摺動して乗り越え、ボス４１とボス受部材５３との係合が外れる。このとき、スキャナハウジング１１は、閉姿勢の状態から開姿勢の状態に移行しており、開姿勢への遥動が係止されずに自由に遥動できる状態となる。
【００２０】
本実施形態のクリックストップ機構が有する保持力は、２．８ｋｇ〜３．０ｋｇであり、この保持力を超えるときにボス４１とボス受部材５３との係合が外れる。また、スキャナハウジング１１が閉姿勢の状態にある場合、ユーザが原稿カバー１２を開こうとして生じるクリックストップ機構へのＹｕ方向への力は、最大２．０ｋｇである。本実施形態では、原稿カバー１２を遥動可能な範囲を超えて開こうとした場合に、このＹｕ方向への力が最大となる。なお、クリックストップ機構が有する保持力は、複合機を構成するプリンタハウジング、スキャナハウジング及び原稿カバー等のサイズ、重量、材質及び構造等に応じて規定することができる。
【００２１】
上述したように、本実施形態の複合機１では、クリックストップ機構が有する保持力（２．８ｋｇ〜３．０ｋｇ）が、ユーザが原稿カバー１２を開くことによって生じるＹｕ方向への力（最大２．０ｋｇ）より大きいことから、ユーザが原稿カバー１２を開く力によって、閉姿勢の状態にあるスキャナハウジング１１が一緒に開いてしまうことを防止できる。また、原稿カバー１２が開姿勢及び閉姿勢のいずれの状態であっても、ユーザがある程度の力（２．８ｋｇ〜３．０ｋｇを超える力）を加えればスキャナハウジング１１を開くことができることから、操作性の面からも分かり易い。更に、上記したスキャナハウジング１１の開閉の制御を、複雑なロック機構等を必要としないで簡単なクリックストップ機構の構成で得ることができるため、複合機１に関わる部品コスト等を低廉化できる。
【００２２】
なお、本実施形態の複合機１では、ストップ機構としてクリック感を得ることができるクリックストップ機構を用いたが、これに限定されず、クリック感が生じないストップ機構を用いても良い。また、ストップ機構は、ユーザが原稿カバーを開く力によってスキャナハウジングが開くのを防止でき、ユーザがある程度の力を加えればスキャナハウジングを開くことができるような保持力を規定できるならば別の機構等を用いても良い。
【図面の簡単な説明】
【００２３】
【図１】本発明の一実施形態に係る画像入出力装置としての複合機の斜視図。
【図２】スキャナハウジング及び原稿カバーが閉姿勢の状態にあるときの複合機の側面図。
【図３】スキャナハウジングが閉姿勢、原稿カバーが開姿勢の状態にあるときの複合機の側面図。
【図４】スキャナハウジングが開姿勢、原稿カバーが閉姿勢の状態にあるときの複合機の側面図。
【図５】スキャナハウジングが開姿勢、原稿カバーが閉姿勢の状態にあるときの複合機の斜視図。
【図６】クリックストップ機構を構成する部材を説明する図、（ａ）は、一方の部材となる突起部周辺の斜視図、（ｂ）は、他方の部材となる埋設されている係合部の斜視図。
【図７】スキャナハウジングに設けられた突起部とプリンタハウジングに設けられた係合部との係合を説明するための模式図、（ａ）は、突起部が係合部に係合される前の状態を示す図、（ｂ）は、突起部が係合部に係合された状態を示す図。
【符号の説明】
【００２４】
１…複合機、１０…プリンタハウジング、１１…スキャナハウジング、１２…原稿カバー、１３…支持部、１４…上壁、１５…原稿台、１７…ＡＤＦ原稿台、１８…ＡＤＦ、３０…凸部、３１…側壁、３２…後端壁、３３…前端面、３４…上端面、４０…突起部、４１…ボス、５０…係合部、５１…凹部、５２…バネ基材、５３…ボス受部材、５３ａ…鍔部、５４…切欠き。
【図１】
2007336273.tif 000003
【図２】
2007336273.tif 000004
【図３】
2007336273.tif 000005
【図４】
2007336273.tif 000006
【図５】
2007336273.tif 000007
【図６】
2007336273.tif 000008
【図７】
2007336273.tif 000009